(57)【要約】【解決手段】  本発明は、圧縮された単一の未使用吸水性物品に関するものである。前記パッケージは、密封された際には、前記吸水性物品の圧縮を保持する。本発明は単一の未使用吸水性物品を圧縮および包装する方法にも関するものであり、これには、前記パッケージへの前記吸水性物品の挿入、前記物品の圧縮および前記物品の前記圧縮状態を保持するための前記物品の密封が含まれる。前記圧縮は、前記物品が前記パッケージに挿入される前または後に、前記パッケージおよび吸水性物品から空気を取り除くために真空を使用するか、または前記吸水性物品を圧縮するその他の方法を通じて達成される。前記吸水性物品は用具一式の中にその他の用品と共に包装されてもよい。用具一式の例は単一オムツ、取替え用パッドおよびウエットワイプを含む乳幼児オムツ取替え用具一式でもよく、前記パッケージは少なくとも前記オムツの前記圧縮状態を保持する。【選択図】      図１
2007530096.tif 000002
【特許請求の範囲】
【請求項１】
圧縮され個別に包装された未使用吸水性物品であって、
内部体積を有する密封パッケージと
前記内部体積中に位置する単一未使用吸収性物品であって、前記吸水性物品は圧縮状態および非圧縮状態であり、前記密封パッケージは前記圧縮状態の前記吸水性物品を保持するものである、前記単一未使用の吸水性物品と
を有する圧縮され個別に包装された未使用吸水性物品。
【請求項２】
請求項１の包装された吸水性物品において、前記吸水性物品はオムツである。
【請求項３】
請求項１の包装された吸水性物品において、前記吸水性物品は圧縮可能な女性用衛生用品である。
【請求項４】
請求項１の包装された吸水性物品において、前記吸水性物品は医療用品である。
【請求項５】
請求項１の包装された吸水性物品において、この包装された吸水性物品は、さらに、
湿気不透過性表面で囲まれ前記パッケージに包まれた、ウエットワイプ要素を有するものである。
【請求項６】
請求項１の包装された吸水性物品において、そのような圧縮は、前記包装された吸水性物品の体積を約３０％〜約７０％縮小するものである。
【請求項７】
請求項１の包装された吸水性物品において、そのような圧縮は、前記包装された吸水性物品の体積を約４０％若しくはそれ以上縮小するものである。
【請求項８】
請求項１の包装された吸水性物品において、そのような圧縮は、前記包装された吸水性物品の体積を約５５％若しくはそれ以上縮小するものである。
【請求項９】
請求項１の前記包装された吸水性物品において、この包装された吸水性物品は、さらに、
前記包装に選択的に開けられる領域を有し、前記選択的に開けられる領域により、前記パッケージをさらに容易に開けられるようにするものである。
【請求項１０】
請求項１の包装された吸水性物品において、前記吸水性物品は、非圧縮状態において２つの折軸で折り畳まれるものである。
【請求項１１】
請求項１の前記包装された吸水性物品において、前記吸水性物品は、非圧縮状態において３つの折軸で折り畳まれるものである。
【請求項１２】
請求項１の包装された吸水性物品において、前記吸水性物品は、非圧縮状態において巻かれるものである。
【請求項１３】
圧縮され個別に包装された未使用吸水性物品であって、
第１と第２の形状要素を有する単一未使用衛生吸水性物品であって、前記第２の形状要素は前記第１の形状要素よりも実質的に小さいものである、前記第１と第２の形状要素を有する単一未使用衛生吸水性物品と、
密閉可能パケージであって、第１の形状要素において前記吸水性物品を受領するサイズの内部体積を有し、密封の際に前記パッケージ内で第２の形状要素に保持される吸水性物品と共に密封されるように構成されているものである、密封可能パッケージと
を有する圧縮され個別に包装された未使用吸水性物品。
【請求項１４】
請求項１３の包装された吸水性物品において、前記吸水性物品の第２の形状要素の体積は、前記吸水性物品の第１の形状要素の約３０％〜約７０％である。
【請求項１５】
請求項１３の包装された吸水性物品において、前記吸水性物品の第２の形状要素の体積は、前記吸水性物品の第１の形状要素の約４０％若しくはそれ以上である。
【請求項１６】
請求項１３の包装された吸水性物品において、前記吸水性物品の第２の形状要素の体積は、前記吸水性物品の第１の形状要素の約５５％若しくはそれ以上である。
【請求項１７】
単一未使用衛生吸水性物品を密封可能で圧縮可能なパッケージに圧縮および包装する方法であって、
単一未使用衛生吸水性物品を前記パッケージに挿入する工程と
前記吸水性物品のサイズを圧縮し、前記吸水性物品のサイズまで縮小するものである、圧縮する工程と、
前記パッケージを密封し、前記密封パッケージが前記物品を圧縮状態で保持するものである、密閉する工程と
を有する方法。
【請求項１８】
請求項１７の方法において、この方法は、さらに、
前記非圧縮物品を前記パッケージに挿入する前に、前記未使用吸水性物品を２つの折軸で折り畳む工程を有するものである。
【請求項１９】
請求項１７の方法において、この方法は、さらに、
前記非圧縮物品を前記パッケージに挿入する前に、前記未使用吸水性物品を巻く工程を有するものである。
【請求項２０】
請求項１７の方法において、前記圧縮は真空によって達成されるものである。
【請求項２１】
請求項１７の方法において、前記吸水性物品は前記物品が非圧縮の際に前記パッケージに挿入され、前記物品はその後に圧縮されるものである。
【請求項２２】
圧縮され個別に包装された未使用オムツであって、
気密材料を有する密封パッケージと
圧縮状態と非圧縮状態とを有する折り畳まれたオムツであって、前記圧縮状態では前記非圧縮状態よりも約３０％〜約７０％少ない体積を占有し、前記パッケージは前記吸収性物品を前記圧縮状態で保持するものである、前記オムツと、
前記パッケージにある選択的に開けられる領域であって、前記パッケージを開くことを容易にし、前記吸水性物品を利用することを可能にするものでる、前記選択的に開けられる領域と
を有する圧縮され個別に包装された未使用オムツ。
【発明の詳細な説明】
【技術分野】
【０００１】
本出願は、米国市民であるＭｉｃｈｅｌｌｅ  Ｋｌｉｐｐｅｎおよび米国市民であるＰｅｎｎｙ Ｋｌｉｔｚｋｅの名前で２００４年６月２１日にＰＣＴ国際特許出願として申請され、２００３年７月１７日に申請された米国特許出願番号第１０／６２２，２７４号に対して優先権を主張するものである。
【０００２】
本発明は全体的には吸水性物品に関するものであり、具体的には単一の未使用吸水性物品の包装に関するものである。
【背景技術】
【０００３】
オムツなどの吸水性物品はふつう嵩張って持ち運びに不便である。その結果、多くの人々は、大きな吸水性物品を収容するためだけに余分な袋、または不便な大きな袋を持たなければならない。これらの物品は、しばしば家庭から離れた所で、時には予測できない状況で必要とされるので、持ち運び可能で使用が簡単でなければならない。さらに、病気または疾患が伝染する機会を軽減させるために、吸水性物品を持ち運ぶ際は清潔に保たなければならず、これは、多くのタイプの吸水性物品を取り扱う際の重要な考慮すべき事柄である。
【０００４】
オムツのような嵩張る衛生用品を包装するためのさまざまな技術が開発されてきた。しかし、これらの技術は、個々の消費者が一度に１つずつ持ち運びし、使用することを容易にするような、嵩張った個々の吸水性物品を包装するパッケージを提供していない。
【０００５】
例えば、開発された１つの包装技術は複数のオムツの真空パックであり、これはオムツを圧縮して、嵩張った用品の輸送を容易にする。しかし、前記パッケージを開けて、ハンドバックまたはその他の袋に入れて持ち運ぶために数個のオムツを取り出すと、前記真空パックの便宜は失われてしまう。もう１つの包装技術は、使用後の汚れたオムツの真空パックである。汚れたオムツの真空パックは、オムツまたはその他の衛生吸水性物品などの嵩張った品を包装して持ち運ぶ必要がある個別の消費者にとっては、ほとんどまたは全く便宜を提供するものではない。大概の人々は、汚れたオムツを直ちに処分してしまい、ハンドバックまたはその他の袋に入れて持ち運ばないことを考慮すると、この欠点は特にはっきりする。
【０００６】
その他の包装技術として、生理用ナプキンを折り畳むための、またワイプおよびその他の用品と共にオムツを包装するたものものが開発されてきた。しかし、これらの包装技術には便益があるとしても限度がある。衛生用品は嵩張る傾向にある。用品を折り畳んでも寸法が変るだけで、その体積が実質的に縮小することはない。また単にオムツといっしょにワイプをパッケージに含めるのは便利だが、これもやはり、オムツを袋に入れて持ち運ぶ際にオムツが必要とする体積を縮小させるものではない。
【発明の開示】
【課題を解決するための手段】
【０００７】
全体的に、本発明は圧縮され個別に包装された衛生的な未使用物品に関するものである。前記吸水性物品の取り扱いおよび持ち運びの便宜のために、オムツなどの個々の未使用の衛生吸水性物品は、非圧縮状態の前記吸水性物品の形状要素に比較して小さな形状要素を有する圧縮状態に置ける。
【０００８】
従って、請求項に記載されている本発明の１つの観点は、内部体積のある密封パッケージを有する、圧縮され個別に包装された未使用吸水性物品である。単一の未使用吸水性物品が前記内部体積に配置される。前記吸水性物品には圧縮状態と非圧縮状態があり、前記密封パッケージは前記吸水性物品を圧縮状態に保持する。
【０００９】
本発明のもう１つの観点は、第１と第２の形状要素を有する、単一の未使用の衛生吸水性物品である。前記第２の形状要素は前記第１の形状要素よりも実質的に小さい。密封可能なパッケージは、第１の形状要素状態にある前記吸水性物品を受容するサイズの内部体積を有する。密封された際には、前記密封可能なパッケージは、前記包装内部で第２の形状要素に保持された前記吸水性物品と共に密封されるように構成されている。
【００１０】
請求項に記載されている本発明のもう１つの観点は、気密材料で形成された密封パッケージを有することである。折り畳まれたオムツには圧縮状態と非圧縮状態があり、圧縮状態にある前記折畳みオムツは、非圧縮状態にある時よりも約３０％〜約７０％少ない体積を占有する。前記パッケージは、前記吸水性物品を前記圧縮状態に保持する。前記包装には、ジッパーストリップが形成されており、包装を簡単に開いて吸水性物品を利用できる。
【００１１】
また請求項に記載されている本発明のもう１つの観点は、密封可能で圧縮可能なパッケージに単一未使用の衛生吸水性物品を圧縮して包装する方法である。前記方法は単一未使用の衛生吸水性物品を前記パッケージに挿入する方法を有する。即ち、前記吸水性物品のサイズを縮小させるために前記吸水性物品を圧縮する。それから前記パッケージを密封するが、前記密封パッケージは前記物品を圧縮状態に保持している。
【発明を実施するための最良の形態】
【００１２】
前記図面を参照して、本発明の様々な実施形態を詳細に説明するが、前記複数の図面を通して同一参照番号は同一部品と組立を表すものとする。様々な実施形態への参照は本発明の範囲を限定するものではなく、本発明の範囲はここに添付する請求の範囲によってのみ制限されるものとする。また、本明細書で提示する例には、請求項に記載されている本発明を限定する意図はなく、多くの可能な実施形態のいくつかを提示するだけである。特定の代替実施形態を提示するかどうかに拘らず、ここで開示する前記構造と方法のすべてには代替があるものとする。
【００１３】
図１と図２に関しては、パッケージ材料１２は、第１と第２の対立する側面部２０と２１を含み且つ第１と第２の端２４と２６を有する。前記パッケージ材料は内部体積３０を規定する。単一未使用の吸水性物品が前記パッケージ材料１２の前記内部体積３０の内部に配置される。１つの可能な実施形態では、内部体積３０が全体的に密閉または完全に包囲されて前記パッケージ材料の外部区域から隔絶するように、前記パッケージ材料１２を密封する。
【００１４】
前記パッケージ材料１２は、様々な異なった構造で形成できる。例えば、少なくともいくつかの実施形態では、前記第１と第２の側面部２０と２２は別個のフラットパネルから形成される。また別の可能な実施形態では、前記第１と第２の側面部２０と２２は終りのない壁を有する単一の管状シート材から形成される。
【００１５】
前記パッケージ材料１２は、様々な異なった材料で形成できる。１つの可能な実施形態では、前記パッケージ材料１２が水に実質的に不透過性の材料で形成される。この実施形態の利点は、前記パッケージが不注意に湿気に曝された場合に前記吸水性物品を保護することにある。また別の可能な実施形態では、前記パッケージ材料１２を形成するのに使用される材料は、空気に実質的に不透過性である。この実施形態では、前記内部体積に真空を引き込んで維持することができ、それによって、前記パッケージ材料１２の前記第１と第２の側面部２０と２２を崩して、前記単一未使用の吸水性物品１４を圧縮できる。
【００１６】
また、前記パッケージ材料１２には、ユーザが前記パッケージ材料１２を簡単に開いて、前記単一の未使用吸水性物品１４にアクセスできるように、選択的に開けられる場所５０が含まれている。前記選択的に開けられる場所５０は、様々な異なった構造を有することができる。実施例には、前記パッケージ１２の前記内部体積３０へアクセスするために前記パッケージ材料１２を簡単に開くことができるような、折線、目打ち線、プルストリップ、再密封できるジッパーストリップまたは他構造が含まれる。少なくともいくつかの可能な実施形態では、前記開けられる場所５０は、前記内部体積に真空を引き込み且つ前記内部体積３０に湿気が入ることも防ぐ、前記パッケージ材料１２の密封または再密封できる性質を損なわない。また、少なくともいくつかの可能な実施形態では、前記開けられる場所５０は再密封可能であり、これは、例えば前記物品の使用後に前記吸水性物品１４を再包装するのに便利かもしれない。
【００１７】
前記開けられる場所５０は、前記パッケージ材料の側面部２０と２２の中の一方、または、パッケージ材料１２の端２４または２６の一方に位置してもよい。また、前記開けられる場所５０は任意の方向でよく、前記パッケージの幅または長さに沿ってもよい。また前記開けられる場所は任意の長さでよく、パッケージ材料の長さ全体、パッケージ材料の幅全体またはその任意部分に広がってもよい。また、前記開けられる場所が前記パッケージ材料の周囲全体に広がって終りのない線を形成してもよい。
【００１８】
前記単一の未使用吸水性物品１４には、第１と第２の状態３２と３４とがある。第１の状態３２は非圧縮状態で、この状態では前記単一の未使用吸水性物品は自然な形状要素を有し、意図した目的のために使用できる。第２の状態３４は圧縮状態で、この状態では前記単一の未使用吸水性物品の形状要素または全体の体積が縮小され、最小保存スペースを占有しながら持ち運びおよび保存できる。ユーザが前記単一の未使用吸水性物品１４を前記内部体積３０から選択的に取り除くまでは、前記パッケージ材料１２は前記単一の未使用吸水性物品１４を前記第２の状態に保持する。
【００１９】
前記単一の未使用吸水性物品１４を形成できる前記物品の例には、幼児用および大人用オムツ、生理用ナプキンおよびその他の女性用衛生用品、応急およびその他の医療品、または消費者が持ち運ぶその他の吸水性物品を含む。図示と説明の便宜のために、ここでは前記用語オムツ使用する。
【００２０】
また、前記単一未使用オムツ１４は前記内部体積の中に位置する場合は折り畳まれている。図５に関して、例えば、１つの可能な折畳み処理では、前記単一未使用オムツを２つの折軸３６、３８で折り畳む。前記オムツには、前記折軸３６、３８に沿って互いの上に折り畳まれて一般的に「Ｚ」形の折畳み処理を形成する、第１と第２の主要表面５２、５４が含まれる。図６に関しては、前記単一の未使用オムツを２つの折軸３６、３８で折り畳む、もう１つの可能な折畳み処理である。この形態では、前記主要表面５２、５４は折軸３６、３８で折り畳まれ、一般的に「Ｃ」形の折畳み処理を形成する。図７は、前記単一の未使用オムツ１４のもう１つの折畳み処理を図示しているが、この処理では、前記オムツ１４が単一軸４０で巻かれている。図８に関しては、前記単一の未使用オムツが３つの折軸４２、４４および４６で折り畳まれる、折畳み処理を図示している。この処理では、前記主要表面５２、５４が互いの上に２度折り畳まれて、一般に「Ｍ」形を形成する折畳み処理である。
【００２１】
図７、８に関しては、前記単一の未使用吸水性オムツ１４と前記パッケージ材料１２はさまざまな異なった方法で組み立てることができる。少なくともある可能な実施形態においては、前記単一未使用吸水性オムツ１４と前記パッケージ材料１２は真空を利用して組み立てられる。これらの実施形態では、前記パッケージ材料１２に開口部２８を形成し、且つ前記内部体積３０は、折り畳まれているが前記第１の非圧縮状態３２にある、前記単一未使用吸水性オムツ１４を受領できる寸法にする。この実施形態では、前記内部体積は、前記パッケージ材料に挿入できる状態（例、折り畳まれた、半分圧縮された、または完全に圧縮された）にある前記単一未使用吸水性オムツ１４より僅かに大きい。前記単一未使用吸水性オムツ１４は折り畳まれてから、前記内部体積３０に挿入される。それから、前記内部体積３０に真空が引き入れられると、側面部２０、２２が互いの方向に崩れ、前記単一未使用吸水性オムツ１４がより小さな形状要素に圧縮されて、より小さな体積を占有するようになる。それから、前記開口部２８が密封されて、前記内部体積３０に前記真空が維持される。
【００２２】
前記単一未使用吸水性オムツ１４と前記パッケージ材料１２を組み立てるその他の多くの方法が可能である。前記単一未使用吸水性オムツ１４は、前記第２の状態３４に圧縮してから前記内部体積３０に挿入できる。前記単一未使用吸水性オムツ１４は、前記第１と第２の対立する側面部２０と２２によって規定される前記内部体積３０の寸法に拡大できる。この実施形態では、前記単一未使用吸水性オムツ１４を前記第２の圧縮状態３４にするために真空は使用されない。また、この実施形態では、前記パッケージ材料１２が密封されなくてもよい。例えば、前記パッケージ材料１２の形態が一般的に管状であるように、第１と第２の端２４と２６は開いていてもよい。
【００２３】
もう１つの可能な実施形態では、前記パッケージ材料１２が熱収縮材で形成される。この実施形態では、前記単一未使用吸水性オムツ１４を前記内部体積３０に挿入してから、前記パッケージ材料１２を加熱して、前記単一未使用吸水性オムツ１４を収縮および圧縮して前記第２の状態３４にする。また、この実施形態でも、前記パッケージ材料１２は密閉されなくてもよい。
【００２４】
また、その他の実施形態では、これらの基本的な組立技術が組み合わされてもよい。例えば組立が、前記単一未使用吸水性オムツ１４を圧縮または半圧縮状態に圧縮する工程と、前記圧縮または半圧縮状態の単一未使用吸水性オムツ１４を前記内部体積３０に挿入する工程と、それから真空を引き込む工程と、を含んでもよい。前記単一未使用吸水性オムツ１４と前記パッケージ材料１２を組み立てるには、その他の多くの実施形態および工程の組合せが可能である。
【００２５】
以下の例で示すように、説明した単一未使用オムツ１４の前記パッケージは、オムツの形状要素または体積の実質的な縮小という結果を生む。例えば、１つの可能な実施形態では前記第１の非圧縮状態３２から第２の圧縮状態３４への前記体積の縮小は約４０％若しくはそれ以上である。以下の例では、０．０３５メガパスカル（ＭＰａ）の圧縮真空圧力でさまざまなサイズと銘柄のオムツを包装した実験結果を提示する。一定銘柄とサイズをこの圧力でテストしたが、ここで開示する前記包装技術と構造は、いかなるサイズとタイプの単一吸水性物品でも、或いは前記単一未使用吸水性物品を圧縮してその体積を縮小させるのに充分ないかなるタイプと量の圧縮力でも、利用できることを理解されたい。
【実施例１】
【００２６】
例1
サイズ２のＰａｍｐｅｒｓ幼児オムツは、非圧縮状態（第１の形状要素）では長さ７．３インチ、幅４．３インチおよび高さ０．７インチであり、圧縮状態（第２の形状要素）では長さ４．４インチ、幅３．０インチおよび高さ０．８インチである。この結果、第１の形状要素は約２２．８立方インチの体積を有し、第２の形状要素は約１０．１立方インチの体積を有する。即ち、第１の形状要素から第２の形状要素への体積の縮小は約５５．５４％である。
【実施例２】
【００２７】
例２
サイズ５のＨｕｇｇｉｅｓ幼児オムツは、非圧縮状態（第１の形状要素）では長さ９．５インチ、幅４．３インチおよび高さ０．７インチであり、圧縮状態（第２の形状要素）では長さ２．９インチ、幅４．３インチおよび高さ０．９インチである。この結果、第１の形状要素は約２９．４立方インチの体積を有し、第２の形状要素は約１１．１立方インチの体積を有する。即ち、第１の形状要素から第２の形状要素への体積の縮小は約６２．２９％である。
【実施例３】
【００２８】
例３
大人特大Ｄｅｐｅｎｄｓオムツは、非圧縮状態（第１の形状要素）では長さ８．６インチ、幅５．７インチおよび高さ１．６インチであり、圧縮状態（第２の形状要素）では長さ５．２インチ、幅４．１インチおよび高さ１．２インチである。この結果、第１の形状要素は約７７．５立方インチの体積を有し、第２の形状要素は約２５．５立方インチの体積を有する。即ち、第１の形状要素から第２の形状要素への体積の縮小は約６７．１５％である。
【実施例４】
【００２９】
例４
大人中型サイズＤｅｐｅｎｄｓオムツは、非圧縮状態（第１の形状要素）では長さ９．５インチ、幅５インチおよび高さ０．８８インチであり、圧縮状態（第２の形状要素）では長さ４．２４インチ、幅２．７２インチおよび高さ１．５インチである。この結果、第１の形状要素は約４１．８立方インチの体積を有し、第２の形状要素は約１７．３立方インチの体積を有する。即ち、第１の形状要素から第２の形状要素への体積の縮小は約５８．６１％である。
【００３０】
その他の例では、第１と第２形状要素の間の体積変化が３０％以上で、綿ボールとスポンジのように非常に浸透性のある吸収材料では、約８０％〜９０％の体積変化が可能であった。縮小する体積のパーセントは、典型的には、圧縮される物品による。従って、１つの可能な実施形態では、第１と第２形状要素の間の体積変化は約３０％〜約７０％までの範囲である。別の実施形態では体積変化は約３０％若しくはそれ以上である。別の実施形態では約４０％若しくはそれ以上の体積変化を有する。また別の実施形態では約５５％若しくはそれ以上の体積変化を有する。
【００３１】
図９に関しては、少なくともある可能な代替実施形態では、前記単一未使用吸水性物品にサービス品目を有する用具一式を含んでもよい。例えば、前記用具一式１００は、単一未使用オムツ１４といっしょに、前記内部体積に配置される１つ若しくはそれ以上の拭きもの４８を含んでもよい。代替の実施形態では、前記拭きもの４８が個別に包まれてもいいし、前記オムツ１４の湿った不透過性表面の間に配置されてもよい。例えば、使用後のオムツ処理用の袋６０、包装されたローション、軟膏および防臭剤などのその他の用品が前記パッケージに追加されてもよい。別の実施形態では、前記パッケージ材料１２が密封されるとき、前記パッケージ１２に保持されている前記サービス品目のいくつかは圧縮され、ある品目は圧縮されない。
【００３２】
上記に説明したさまざまな実施形態は図示の目的だけに提供されたものであり、本発見を限定するものと見なしてはならない。本明細書において図面において例示および説明された実施形態および用途に従わないで、また付随の請求の範囲で説明されている本発明の要旨及び範囲を逸脱しないで、本発明を構成する様々な修正および変更を、当業者であれば容易に理解するであろう。
【図面の簡単な説明】
【００３３】
【図１】図１は、本発明の原則に従って圧縮包装された吸水性物品の透視図である。
【図２】図２は、図１に示した圧縮包装された吸水性物品の側面図である。
【図３】図３は、２つの折軸を使用した吸水性物品の折畳み処理の１例の側面図である。
【図４】図４は、２つの折軸を使用した吸水性物品の折畳み処理のもう１つの例の側面図である。
【図５】図５は、巻いた吸水性物品の側面図である。
【図６】図６は、３つの折軸を使用した吸水性物品の折畳み処理のもう１つの例の側面図である。
【図７】図７は、図１で示した真空包装された吸水性物品の構成要素の分解斜視図である。
【図８】図８は、図１で示した圧縮包装された吸水性物品で吸水性物品が圧縮される前の横断面図である。
【図９】図９は、本発明の原則に従った、オムツ、ウエットワイプおよび交換パッドを含んだ圧縮包装されたオムツ一式の例の斜視図である。
【図１】
2007530096.tif 000003
【図２】
2007530096.tif 000004
【図３】
2007530096.tif 000005
【図４】
2007530096.tif 000006
【図５】
2007530096.tif 000007
【図６】
2007530096.tif 000008
【図７】
2007530096.tif 000009
【図８】
2007530096.tif 000010
【図９】
2007530096.tif 000011
【国際調査報告】
2007530096.tif 000012
2007530096.tif 000013
2007530096.tif 000014
2007530096.tif 000015